(57)【要約】【課題】ビス挿通孔のない汎用の外部接続コネクタを厚さを増やすことなく安価かつ堅固に固定できる。【解決手段】外部端子を接続可能な外部接続コネクタ１０を有する携帯電話機１において、外部接続コネクタ１０の少なくとも一対の側面（左右側面）及び挿入方向奥側面（上面１０ｂ）を外部接続コネクタ１０の位置決めをするコネクタ用ホルダ１１に当接させ、外部接続コネクタ１０を露出させるコネクタ用開口３ａ，４ａを有する筐体（正面側キャビネット３及び背面側キャビネット４）に、この外部接続コネクタ１０における厚さ方向の両側面１０ｃを保持させ、コネクタ用ホルダ１１を固定する。【選択図】図１
2015133562.tif 000002
【特許請求の範囲】
【請求項１】
外部端子を接続可能な外部接続コネクタを有する電子機器において、
上記外部接続コネクタの少なくとも一対の側面及び挿入方向奥側面が当接し、該外部接続コネクタの位置決めをするコネクタ用ホルダと、
上記外部接続コネクタを露出させるコネクタ用開口を有すると共に、該外部接続コネクタにおける厚さ方向の両側面を保持し、上記コネクタ用ホルダが固定される筐体とを備えている
ことを特徴とする電子機器。
【請求項２】
請求項１に記載の電子機器において、
上記コネクタ用ホルダと上記筐体とが上記外部接続コネクタの近傍で共締めされている
ことを特徴とする電子機器。
【請求項３】
請求項１又は２に記載の電子機器において、
上記コネクタ用ホルダは、係合爪で上記筐体に仮固定可能に構成されている
ことを特徴とする電子機器。
【請求項４】
請求項１乃至３のいずれか１つに記載の電子機器において、
上記コネクタ用ホルダは、該コネクタ用ホルダの周辺にある電子部品を保持する部品ホルダの切欠に該部品ホルダと厚さ方向から見て重ならないように固定されている
ことを特徴とする電子機器。
【請求項５】
請求項１乃至４のいずれか１つに記載の電子機器において、
上記筐体の正面側には、表示部が収容され、
上記表示部から延びるフレキシブル基板の折れ曲がり部が上記コネクタ用ホルダの正面側に配置されている
ことを特徴とする電子機器。
【発明の詳細な説明】
【技術分野】
【０００１】
本発明は、ＵＳＢ（登録商標）端子などの外部端子を接続可能な外部接続コネクタを有する電子機器に関するものである。
【背景技術】
【０００２】
従来より、この種の電子機器において、例えば特許文献１のように、コネクタは、筐体に収容された第１回路基板の第１実装面に実装され、筐体の内外を連通する開口を通じて筐体の外部から接続可能であり、レシーバホルダ及び第１回路基板に挟持されるものが知られている。このため、コネクタは強固に取り付けられ、コネクタに外部端子を頻繁に着脱しても、コネクタのガタツキや破損等を防止できるようにしている。
【０００３】
また、外部接続コネクタの鍔にビス挿通孔を設け、外部接続コネクタ自身を筐体にビス止めすることも行われている。
【先行技術文献】
【特許文献】
【０００４】
【特許文献１】特開２０１３−１０６０７５号公報
【発明の概要】
【発明が解決しようとする課題】
【０００５】
しかしながら、特許文献１のものでは、レシーバホルダと第１回路基板とで外部接続コネクタを厚さ方向両側から挟持しているので、電子機器全体の厚さも厚くなって望ましくない。
【０００６】
一方、コネクタ自身にビス挿通孔を形成する構成のものでは、汎用の外部接続コネクタではなく、特別な形の外部接続コネクタを製造しなければならず、コスト面で問題がある。
【０００７】
本発明は、かかる点に鑑みてなされたものであり、その目的とするところは、ビス挿通孔のない汎用の外部接続コネクタを厚さを増やすことなく安価かつ堅固に固定できるようにすることにある。
【課題を解決するための手段】
【０００８】
上記の目的を達成するために、この発明では、汎用の外部接続コネクタの少なくとも一対の側面及び挿入方向奥側面が当接するコネクタ用ホルダを介して外部接続コネクタを筐体に固定するようにした。
【０００９】
具体的には、本発明では、外部端子を接続可能な外部接続コネクタを有する電子機器を前提とし、この電子機器は、
上記外部接続コネクタの少なくとも一対の側面及び挿入方向奥側面が当接し、該外部接続コネクタの位置決めをするコネクタ用ホルダと、
上記外部接続コネクタを露出させるコネクタ用開口を有すると共に、該外部接続コネクタにおける厚さ方向の両側面を保持し、上記コネクタ用ホルダが固定される筐体とを備えている。
【００１０】
上記の構成によると、コネクタ用ホルダが外部接続コネクタの一対の側面及び挿入方向奥側面で位置決めを行い、筐体で厚さ方向両側面を保持するようにしているので、電子機器自体の厚さは増えない。また、コネクタ用ホルダを筐体に固定しているので、外部接続コネクタは、ビス挿通孔を有する特別な形状でなくても、コネクタ用ホルダと筐体とで堅固に固定される。本発明では、コネクタ用ホルダによって外部接続コネクタの厚さ方向の位置決めは行われない。
【発明の効果】
【００１１】
以上説明したように、本発明によれば、外部接続コネクタの一対の側面及び挿入方向奥側面が当接するコネクタ用ホルダを筐体に固定し、筐体で外部接続コネクタの厚さ方向両側を保持するようにしたことにより、ビス挿通孔のない汎用の外部接続コネクタを厚さを増やすことなく安価かつ堅固に固定できる。
【図面の簡単な説明】
【００１２】
【図１】図２（ｂ）のＩ−Ｉ線拡大断面図である。
【図２】本発明の実施形態に係る携帯電話機を示し、（ａ）が斜視図で、（ｂ）が正面図である。
【図３】携帯電話機を示す分解斜視図である。
【図４】外部接続コネクタ及びその周辺を拡大して示す斜視図であり、（ｂ）は、（ａ）のIVb−IVb線拡大断面図である。
【図５】（ａ）は、リアカバーを外した外部接続コネクタ周辺を拡大して示す背面図であり、（ｂ）は、（ａ）のVb−Vb線拡大断面図である。
【図６】（ａ）は、外部接続コネクタ及びコネクタ用ホルダを拡大して示す斜視図であり、（ｂ）は、コネクタ用ホルダを拡大して示す斜視図である。
【図７】（ａ）及び（ｂ）は、外部接続コネクタをそれぞれ別の方向から拡大して示す斜視図である。
【図８】正面側キャビネットのコネクタ用開口及びその周辺を拡大して示す斜視図である。
【図９】背面側キャビネットのコネクタ用開口及びその周辺を拡大して示す斜視図である。
【図１０】（ａ）及び（ｂ）は、部品ホルダと外部接続コネクタをそれぞれ別の方向から拡大して示す斜視図である。
【図１１】本発明の実施形態の変形例１に係る携帯電話機を示す図１相当図である。
【図１２】本発明の実施形態の変形例２に係る携帯電話機を示す図１相当図である。
【図１３】本発明の実施形態の変形例３に係る携帯電話機を示す図１相当図である。
【発明を実施するための形態】
【００１３】
以下、本発明の実施形態を図面に基づいて説明する。
【００１４】
図２及び図３は、本発明の実施形態の電子機器としての携帯電話機（スマートフォン）１を示し、この携帯電話機１は、例えばタッチパネルを有する液晶ディスプレイなどの表示部２が収容される正面側キャビネット３と、この正面側キャビネット３を背面から覆う背面側キャビネット４とを有する。背面側キャビネット４の背面側は、リアカバー５で覆われている。正面側キャビネット３と背面側キャビネット４との間の収容空間には、矩形板状の充電池６やメイン基板７が収容されている。背面側キャビネット４の背面の一部は防水シート８で覆われている。メイン基板７の下側には、樹脂成形品などの部品ホルダ９が設けられている。部品ホルダ９は、例えば、マイク、アンテナなどの電子部品を保持している。本実施形態では、正面側キャビネット３と背面側キャビネット４とが携帯電話機１の筐体を構成している。
【００１５】
そして、図１及び図８に示すように、正面側キャビネット３の下端には、例えば長円形のコネクタ用開口３ａが設けられ、このコネクタ用開口３ａの内部に、外部端子としての図示しないＵＳＢ端子が接続可能な外部接続コネクタ１０が設けられている。
【００１６】
図４〜図７に示すように、部品ホルダ９の下側には、外部接続コネクタ１０の左右側面１０ａ及び上面１０ｂが当接する、例えば樹脂成形品よりなるコネクタ用ホルダ１１が設けられている。外部接続コネクタ１０の左右側面１０ａ及び挿入方向奥側面である上面１０ｂをコネクタ用ホルダ１１の左右内面１１ａ及び下側内面１１ｂにそれぞれ当接させることで、外部接続コネクタ１０の上方向及び左右方向の位置決めが行われている。本実施形態では、外部接続コネクタ１０の上面１０ｂがコネクタ用ホルダ１１の下側内面１１ｂに当接し、ＵＳＢ端子をそれ以上押し込めないようになっている。
【００１７】
また、本実施形態では、図１及び図８に示すように、正面側キャビネット３にコネクタ用開口３ａが形成されており、正面側キャビネット３と背面側キャビネット４との間を封止する防水パッキン１２を押さえ付ける平坦面３ｂの奥側のコネクタ支持面３ｃが外部接続コネクタ１０の奥側正面を支持している。また、図１及び図９に示すように、背面側キャビネット４のコネクタ用開口４ａから外部接続コネクタ１０の下端が露出し、その奥側支持部４ｂで外部接続コネクタ１０の下端側外周が覆われている。例えば、この外部接続コネクタ１０の下端側外周にＯリング１３を挟み込むことで、奥側支持部４ｂとの間で防水が行われると共に、外部接続コネクタ１０の下端側外周が確実に保持されている。このように、正面側キャビネット３と背面側キャビネット４とで外部接続コネクタ１０における厚さ方向両側面１０ｃが保持されている。なお、外部接続コネクタ１０の下端が、コネクタ用開口４ａの奥側の内径が拡がった隅角部で位置決めされると共に、ＵＳＢ端子を引き抜くときの抜け止め防止が施されている。
【００１８】
また、図１０に示すように、コネクタ用ホルダ１１は、部品ホルダ９の下側に設けた略矩形状の切欠９ａの内側に部品ホルダ９と厚さ方向から見て重ならないように固定されている。そして、図１に示すように、表示部２から延びる液晶フレキシブル基板２ａやタッチパネルフレキシブル基板２ｂの折れ曲がり部がコネクタ用ホルダ１１の正面側に配置されている。外部接続コネクタ１０から上方へ延びるコネクタフレキシブル基板１０ｄは、メイン基板７に接続されている。
【００１９】
図４〜図６、図８及び図９に示すように、正面側キャビネット３には、外部接続コネクタ１０を左右から挟むようにビス用ネジ孔３ｄが形成され、背面側キャビネット４には、ビス挿通孔４ｃが形成されている。これに合わせてコネクタ用ホルダ１１にもビス挿通孔１１ｃが形成されている。これら、ビス挿通孔４ｃ，１１ｃにビス１４を挿通し、ビス用ネジ孔３ｄにビス１４を締結することで、コネクタ用ホルダ１１と正面側キャビネット３と背面側キャビネット４とが外部接続コネクタ１０の近傍で共締めされている。
【００２０】
なお、コネクタ用ホルダ１１を締結する前に、図５（ｂ）に示すように、その係合爪１１ｄを背面側キャビネット４の被係合部４ｄに係合して仮固定することができるようになっている。係合爪１１ｄ及び被係合部４ｄの形状は特に限定されず、互いに仮止めが可能な程度の強度で係合できればよい。
【００２１】
本実施形態では、上記のように構成したことにより、コネクタ用ホルダ１１が外部接続コネクタ１０の左右側面１０ａ及び上面１０ｂで位置決めを行い、正面側キャビネット３と背面側キャビネット４とが厚さ方向両側面１０ｃを保持するようにしているので、携帯電話機１自体の厚さは増えない。しかも、従来のように部品ホルダ９で厚さ方向に重なるようには外部接続コネクタ１０を保持せず、筐体から壁を延長して形成する必要がないので、コネクタ用ホルダ１１の正面側に十分なスペースを設けることができる。このため、図１に示すように、液晶フレキシブル基板２ａやタッチパネルフレキシブル基板２ｂを余裕を持って折り曲げて配置することができるので、携帯電話機１全体のコンパクト化にも貢献している。
【００２２】
また、コネクタ用ホルダ１１を正面側キャビネット３と背面側キャビネット４とにビス１４で固定しているので、外部接続コネクタ１０は、コネクタ用ホルダ１１と正面側キャビネット３と背面側キャビネット４とで堅固に固定される。しかも、直接にビス１４で外部接続コネクタ１０を正面側キャビネット３と背面側キャビネット４とに固定しているわけではないので、安価な汎用の外部接続コネクタ１０を利用することができる。
【００２３】
また、固定の際に正面側キャビネット３と背面側キャビネット４とを固定するビス１４を用いてコネクタ用ホルダ１１を固定できるので、厚さ方向で正面側キャビネット３と背面側キャビネット４とで挟み込むことで厚さ方向のガタツキを防止しながら、コネクタ用ホルダ１１自体の固定により上下左右方向のガタツキも防止することができる。さらには、ビス１４を共用できるので部品点数が減り、ボスを設けるスペースなどを省いて省スペースを実現することができる。
【００２４】
さらに、組付時にコネクタ用ホルダ１１を背面側キャビネット４に仮固定できるので、作業性が改善される。なお、本実施形態では、正面側キャビネット３側に仮固定できるようにしてもよい。
【００２５】
したがって、本実施形態に係る携帯電話機１によると、ビス挿通孔のない汎用の外部接続コネクタ１０を厚さを増やすことなく安価かつ堅固に固定できる。
【００２６】
−変形例１−
図１１は本発明の実施形態の変形例１を示し、外部接続コネクタ１０の挟持構造が異なる点で上記実施形態と異なる。なお、以下の各変形例では、図１〜図１０と同じ部分については同じ符号を付してその詳細な説明は省略する。
【００２７】
すなわち、本変形例では、外部接続コネクタ１０が正面側キャビネット３のコネクタ用開口３ａ及びその奥側によって、その厚さ方向両側面１０ｃを含む下端側外周が保持されている。このため、背面側キャビネット４は、外部接続コネクタ１０に接していない。このように、１つのキャビネットのみで外部接続コネクタ１０を保持すれば、極めて剛性の高い保持構造が得られる。
【００２８】
なお、本変形例の場合、被係合部４ｄに対応するものを正面側キャビネット３側に設ければよい。
【００２９】
−変形例２−
図１２は本発明の実施形態の変形例２を示し、外部接続コネクタ１０の挟持構造が異なる点で上記実施形態と異なる。
【００３０】
すなわち、本変形例では、外部接続コネクタ１０が背面側キャビネット４のコネクタ用開口（切欠）４ａ’及び正面側キャビネット３のコネクタ用開口（切欠）３ａ’で挟まれるようにして、その厚さ方向両側面１０ｃを含む下端側全体が保持されている。この変形例では、被係合部４ｄに対応するものを正面側キャビネット３又は背面側キャビネット４のどちらか一方に設ければよい。
【００３１】
本変形例では、正面側キャビネット３における奥側支持部４ｂに相当する部分でＯリング１３の防水性が確保されている。
【００３２】
−変形例３−
図１３は本発明の実施形態の変形例３を示し、外部接続コネクタ１０の挟持構造が異なる点で上記実施形態と異なる。
【００３３】
すなわち、本変形例では、逆に外部接続コネクタ１０が背面側キャビネット４のコネクタ用開口４ａ及びその奥側によって、その厚さ方向両側面１０ｃを含む下端側外周が保持されている。このため、正面側キャビネット３は、外部接続コネクタ１０に接していない。この変形例でも、１つのキャビネットのみで外部接続コネクタ１０を保持するので、極めて剛性の高い保持構造が得られる。
【００３４】
（その他の実施形態）
本発明は、上記実施形態について、以下のような構成としてもよい。
【００３５】
すなわち、上記実施形態では、外部端子は、ＵＳＢ端子としたが、マイクロＵＳＢ端子、イヤホン端子など他の外部端子でもよい。
【００３６】
また、上記実施形態では、外部接続コネクタ１０にＯリング１３を設けて防水構造としているが、防水構造ではない電子機器では、必ずしもこのＯリング１３を設ける必要はない。
【００３７】
また、上記実施形態では、外部接続コネクタ１０を携帯電話機１の下端に設けたが、その位置は特に限定されない。
【００３８】
上記実施形態では、電子機器は、携帯電話機１としたが、タブレット端末、ＰＨＳ（Personal Handy-phone System ）、ＰＤＡ(Personal DigitalAssistant)、パソコン、モバイルツール、電子辞書、電卓、ゲーム機等であってもよく、液晶ディスプレイ、液晶テレビ、ブルーレイ（ＤＶＤ）レコーダ等であってもよい。
【００３９】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００４０】
１      携帯電話機（電子機器）
２      表示部
３      正面側キャビネット（筐体）
３ａ，３ａ’    コネクタ用開口
３ｂ    平坦面
３ｃ    コネクタ支持面
３ｄ    ビス用ネジ孔
４      背面側キャビネット（筐体）
４ａ，４ａ’    コネクタ用開口
４ｂ    奥側支持部
４ｃ    ビス挿通孔
４ｄ    被係合部
５      リアカバー
６      充電池
７      メイン基板
８      防水シート
９      部品ホルダ
９ａ    切欠
１０      外部接続コネクタ
１０ａ    左右側面
１０ｂ    上面（挿入方向奥側面）
１０ｃ    厚さ方向両側面
１０ｄ    コネクタフレキシブル基板
１１      コネクタ用ホルダ
１１ａ    左右内面
１１ｂ    下側内面
１１ｃ    ビス挿通孔
１１ｄ    係合爪
１２      防水パッキン
１３      Ｏリング
１４      ビス
【図１】
2015133562.tif 000003
【図２】
2015133562.tif 000004
【図３】
2015133562.tif 000005
【図４】
2015133562.tif 000006
【図５】
2015133562.tif 000007
【図６】
2015133562.tif 000008
【図７】
2015133562.tif 000009
【図８】
2015133562.tif 000010
【図９】
2015133562.tif 000011
【図１０】
2015133562.tif 000012
【図１１】
2015133562.tif 000013
【図１２】
2015133562.tif 000014
【図１３】
2015133562.tif 000015